(57)【要約】【課題】  ゴルフクラブを用いてスウィングすることによりスウィングの悪い癖を直すようにする。【解決手段】  ゴルフクラブのシャフト１１に取り付けられるホルダー１４には、クラブフェースＦに平行でシャフト１１の中心軸Ｏに直交する基準線Ｓとプレイヤー側のホルダー外周面との交点を基準点Ｓ0として飛球方向Ｔに対して反対方向４５度の位置にスライス溝２１が形成され、基準点Ｓ0から飛球方向Ｔに３０度の位置にフック溝２２が形成されている。スライス溝２１にフィンを装着してスウィングすると、インパクト手前４５度までのスウィング過程でシャフト１１にはクラブフェースＦを閉じる方向の捩り力が加えられる。これに代えてフック溝２２にフィンを装着してスウィングすると、同様の過程でシャフト１１にはクラブフェースを開く方向の捩り力が加えられる。【選択図】    図３
2006223395.tif 000002
【特許請求の範囲】
【請求項１】
シャフトとその先端部に設けられるクラブヘッドと前記シャフトの基端部に設けられるグリップとを有するゴルフクラブであって、
前記クラブヘッドよりも前記グリップ側に位置させて前記シャフトの先端部に設けられるホルダーと、
クラブフェースに平行で前記シャフトの中心軸に直交する基準線とプレイヤー側の前記ホルダーの外周面との交点を基準点として飛球方向に対して反対方向２０〜１０５度のスライス矯正範囲の何れかの位置において外方に突出して前記ホルダーに設けられるスライス矯正フィンとを有し、
前記スライス矯正フィンによりスウィング時に前記シャフトに前記クラブフェースを閉じる方向の力を加えることを特徴とするゴルフクラブ。
【請求項２】
シャフトとその先端部に設けられるクラブヘッドと前記シャフトの基端部に設けられるグリップとを有するゴルフクラブであって、
前記クラブヘッドよりも前記グリップ側に位置させて前記シャフトの先端部に設けられるホルダーと、
クラブフェースに平行で前記シャフトの中心軸に直交する基準線とプレイヤー側の前記ホルダーの外周面との交点を基準点として飛球方向２０〜４０度のフック矯正範囲の何れかの位置において外方に突出して前記ホルダーに設けられるフック矯正フィンとを有し、
前記フック矯正フィンによりスウィング時に前記シャフトに前記クラブフェースを開く方向の力を加えることを特徴とするゴルフクラブ。
【請求項３】
シャフトとその先端部に設けられるクラブヘッドと前記シャフトの基端部に設けられるグリップとを有するゴルフクラブであって、
前記クラブヘッドよりも前記グリップ側に位置させて前記シャフトの先端部に設けられるホルダーと、
クラブフェースに平行で前記シャフトの中心軸に直交する基準線とプレイヤー側の前記ホルダーの外周面との交点を基準点として飛球方向に対して反対方向２０〜１０５度のスライス矯正範囲の何れかの位置において前記ホルダーに形成されるスライス溝と、
前記基準点から飛球方向２０〜４０度のフック矯正範囲の何れかの位置において前記ホルダーに形成されるフック溝と、
前記スライス溝と前記フック溝とのそれぞれに選択的に着脱自在に前記ホルダーの外方に突出して装着されるスウィング矯正フィンとを有し、
前記スライス溝に装着された前記スウィング矯正フィンによりスウィング時に前記シャフトに前記クラブフェースを閉じる方向の力を加え、前記フック溝に装着された前記スウィング矯正フィンによりスウィング時に前記シャフトに前記クラブフェースを開く方向の力を加えることを特徴とするゴルフクラブ。
【請求項４】
シャフトとその先端部に設けられるクラブヘッドと前記シャフトの基端部に設けられるグリップとを有するゴルフクラブであって、
前記クラブヘッドよりも前記グリップ側に位置させて前記シャフトの先端部に回転自在に設けられるホルダーと、
前記ホルダーに外方に突出して設けられるスウィング矯正フィンと、
クラブフェースに平行で前記ホルダーの中心軸に直交する基準線とプレイヤー側の前記ホルダーの外周面との交点を基準点として飛球方向に対して反対方向２０〜１０５度のスライス矯正範囲の何れかの位置、および前記基準点から飛球方向２０〜４０度のフック矯正範囲の何れかの位置に前記スウィング矯正フィンを位置決めさせた状態で前記ホルダーを前記シャフトに固定する固定手段とを有し、
前記スライス矯正範囲に設定される前記スウィング矯正フィンによりスウィング時に前記シャフトに前記クラブフェースを閉じる方向の力を加え、前記フック矯正範囲に設定される前記スウィング矯正フィンによりスウィング時に前記シャフトに前記クラブフェースを開く方向の力を加えることを特徴とするゴルフクラブ。
【発明の詳細な説明】
【技術分野】
【０００１】
本発明はゴルフスウィングの悪い癖を直すためのゴルフクラブに関し、ゴルフ経験者がスウィングエラーを矯正する際の練習用として好適なゴルフクラブに関する。
【背景技術】
【０００２】
ゴルフボールを打つためのゴルフクラブには、ボールを遠くに飛ばして飛距離を出すことを目的としたウッドと、ボールをグリーンに寄せることを目的としたアイアン、サンドエッジおよびピッチングエッジ等と、グリーン上でカップを狙うパターとがある。いずれのゴルフクラブもシャフトとその先端部に設けられたヘッドとシャフトの基端部に設けられたグリップとを有している。
【０００３】
ボールをショットする際には、プレイヤーは、ゴルフクラブを持ってボールを打つ意志で足の位置を決めた状態つまりスタンスを決めた状態のもとで、ゴルフクラブをトップの位置まで振り上げた後に、ボールにクラブヘッドのクラブフェースが当たるインパクトの位置まで振り下ろし、フォロースウィングを行うことになる。このようにゴルフクラブを振り上げてから振り下ろしてフォロースルーが終了するまでのクラブヘッドのスウィングによりクラブヘッドは円軌道のスウィング軌道を描いて回転運動することになる。インパクト時前後のスウィング軌道がインサイドインになり、クラブフェースが飛球線方向に直角つまりスクエアとなれば、目標とする着地点に向けて真っ直ぐにボールを飛ばすことができる。
【０００４】
インパクト時にクラブフェースが例えば１０度程度開いた状態、つまり右利きのプレイヤーの場合クラブフェースが飛球線に対し右方向に傾いた状態となると、ショットされたボールは右側に曲がりスライスボールとなる。これに対し、インパクト時にクラブフェースが例えば１０度程度閉じた状態、つまり右利きのプレイヤーの場合にクラブフェースが飛球線に対し左方向に傾いた状態となると、ショットされたボールは左側に曲がりフックボールとなる。
【０００５】
インパクト時に常にクラブフェースがスクエアとなるように理想的にゴルフクラブをスウィングすることは、ゴルフ経験者にとっても容易なことではなく、スライスボールが出る傾向のあるプレイヤーは頻繁にスライスボールが出ることになり、フックボールが出る傾向にあるプレイヤーは頻繁にフックボールが出ることになり、一度身に付いたスウィングの悪い癖を修正して理想的なスウィングをできるようにすることは容易なことではない。
【発明の開示】
【発明が解決しようとする課題】
【０００６】
悪いスウィングの癖がついたプレイヤーのエラー矯正を行うために種々の練習器具が開発されているが、インパクト時にクラブフェースがスクエアとなるようなスウィングの感覚を身体に覚え込ませるのは容易ではないので、スウィングの悪い癖を直すためのゴルフクラブを開発すべく本発明者は種々の実験研究を行った。この実験においては、ダウンスウィングをスウィング軌道のうちクラブヘッドがインパクト位置の正反対となるヘッドトップ位置つまりインパクト手前約１８０度の位置を４／４位置とし、インパクト手前約１３５度の位置を３／４位置とし、インパクト手前約９０度の位置を１／２位置とし、インパクト手前約４５度の位置を１／４位置とした。
【０００７】
クラブヘッドがトップの位置からインパクトの位置まで振り下ろされるダウンスウィング時には、クラブヘッドはトップの位置からヘッドスピードを上げながらインパクトの位置まで振り下ろされるので、インパクト時およびその直前におけるヘッドスピードは４／４位置よりも高くなる。そこで、スピードが高まった状態のもとでクラブヘッドに加わる風圧を利用してインパクト時にクラブフェースが開いた状態や閉じた状態に傾くのを矯正するために、矯正用のフィンをシャフトに取り付ける試みがなされたが、プレイヤーの悪い癖を矯正することはできなかった。
【０００８】
そこで、風圧とこれによりシャフトを捩る方向に加わる力との関係を探求した。その結果、クラブヘッドがトップの位置からインパクトの位置まで振り下ろされるダウンスウィングのうちその中期、つまりスウィング軌道におけるインパクト前の約９０度（１／２位置）から約４５度（１／４位置）までの間でのクラブフェースの向きがスライスボールやフックボールの発生に大きく影響していることが判明した。インパクト前の約４５度（１／４位置）からインパクトまでのダウンスウィング終期においてはヘッドスピードが最も早くなるが、ヘッドスピードが早くなることから、ゴルフクラブの慣性力が大きくなるとともにヘッドに加わる風圧も大きくなる。このため、ダウンスウィングの終期に風圧を受けてクラブフェースを矯正するように矯正フィンをシャフトに取り付けても、ダウンスウィング終期に矯正フィンに加わる風圧の影響よりもゴルフクラブの慣性力とヘッドに加わる風圧によるシャフト回転力とが勝り、スウィングの矯正を行うことはできないということが多くのモニターによる試打により判明した。
【０００９】
スライスボール等が出る悪い癖の多数のゴルフ経験者をモニターないし被験者として、実験を行ったところ、ダウンスウィングの１／２位置において理想的なクラブフェース角度に対して０度から−１５度程度オープンつまり開いた状態となっていると、スライスボールが出ることになり、フックボールが出るのは１／２位置において理想的なクラブフェース角度に対して２０度から３０度クローズつまり閉じた状態となっていた。つまり、スライスボールやフックボールが出るのは、ダウンスウィング初期から中期におけるクラブフェースの向きが理想的向きに対して傾いているからであると考えられる。したがって、１／２位置から１／４位置までダウンスウィングされる間にクラブフェースをそれぞれの位置における理想的なクラブフェース角度にできれば、インパクト時にクラブフェースをスクエアにすることができ、フライスボールやフックボールの発生を防止できるということが判明した。本発明はこのような実験研究に基づいてなされたものである。
【００１０】
本発明の目的は、ゴルフクラブを用いてスウィングすることによりスウィングの悪い癖を直すようにすることにある。
【００１１】
本発明の目的は、スライスボールの出ないスウィングを習得することができるようにすることにある。
【００１２】
本発明の目的は、フックボールの出ないスウィングを習得することができるようにすることにある。
【課題を解決するための手段】
【００１３】
本発明のゴルフクラブは、シャフトとその先端部に設けられるクラブヘッドと前記シャフトの基端部に設けられるグリップとを有するゴルフクラブであって、前記クラブヘッドよりも前記グリップ側に位置させて前記シャフトの先端部に設けられるホルダーと、クラブフェースに平行で前記シャフトの中心軸に直交する基準線とプレイヤー側の前記ホルダーの外周面との交点を基準点として飛球方向に対して反対方向２０〜１０５度のスライス矯正範囲の何れかの位置において外方に突出して前記ホルダーに設けられるスライス矯正フィンとを有し、前記スライス矯正フィンによりスウィング時に前記シャフトに前記クラブフェースを閉じる方向の力を加えることを特徴とする。
【００１４】
本発明のゴルフクラブは、シャフトとその先端部に設けられるクラブヘッドと前記シャフトの基端部に設けられるグリップとを有するゴルフクラブであって、前記クラブヘッドよりも前記グリップ側に位置させて前記シャフトの先端部に設けられるホルダーと、クラブフェースに平行で前記シャフトの中心軸に直交する基準線とプレイヤー側の前記ホルダーの外周面との交点を基準点として飛球方向２０〜４０度のフック矯正範囲の何れかの位置において外方に突出して前記ホルダーに設けられるフック矯正フィンとを有し、前記フック矯正フィンによりスウィング時に前記シャフトに前記クラブフェースを開く方向の力を加えることを特徴とする。
【００１５】
本発明のゴルフクラブは、シャフトとその先端部に設けられるクラブヘッドと前記シャフトの基端部に設けられるグリップとを有するゴルフクラブであって、前記クラブヘッドよりも前記グリップ側に位置させて前記シャフトの先端部に設けられるホルダーと、クラブフェースに平行で前記シャフトの中心軸に直交する基準線とプレイヤー側の前記ホルダーの外周面との交点を基準点として飛球方向に対して反対方向２０〜１０５度のスライス矯正範囲の何れかの位置において前記ホルダーに形成されるスライス溝と、前記基準点から飛球方向２０〜４０度のフック矯正範囲の何れかの位置において前記ホルダーに形成されるフック溝と、前記スライス溝と前記フック溝とのそれぞれに選択的に着脱自在に前記ホルダーの外方に突出して装着されるスウィング矯正フィンとを有し、前記スライス溝に装着された前記スウィング矯正フィンによりスウィング時に前記シャフトに前記クラブフェースを閉じる方向の力を加え、前記フック溝に装着された前記スウィング矯正フィンによりスウィング時に前記シャフトに前記クラブフェースを開く方向の力を加えることを特徴とする。
【００１６】
本発明のゴルフクラブは、シャフトとその先端部に設けられるクラブヘッドと前記シャフトの基端部に設けられるグリップとを有するゴルフクラブであって、前記クラブヘッドよりも前記グリップ側に位置させて前記シャフトの先端部に回転自在に設けられるホルダーと、前記ホルダーに外方に突出して設けられるスウィング矯正フィンと、クラブフェースに平行で前記ホルダーの中心軸に直交する基準線とプレイヤー側の前記ホルダーの外周面との交点を基準点として飛球方向に対して反対方向２０〜１０５度のスライス矯正範囲の何れかの位置、および前記基準点から飛球方向２０〜４０度のフック矯正範囲の何れかの位置に前記スウィング矯正フィンを位置決めさせた状態で前記ホルダーを前記シャフトに固定する固定手段とを有し、前記スライス矯正範囲に設定される前記スウィング矯正フィンによりスウィング時に前記シャフトに前記クラブフェースを閉じる方向の力を加え、前記フック矯正範囲に設定される前記スウィング矯正フィンによりスウィング時に前記シャフトに前記クラブフェースを開く方向の力を加えることを特徴とする。
【発明の効果】
【００１７】
本発明によれば、インパクト手前約４５度までのダウンスウィング過程でスライス矯正フィンに加わる風圧によりクラブフェースが閉じる方向にスライス矯正フィンからシャフトに捩り力が加わるので、スライスボールが出るプレイヤーがスウィングすると、インパクト時にはクラブフェースがスクエアとなる。インパクト時にスクエアとなるスウィング感覚を会得するように練習すれば、通常のゴルフクラブを用いてスウィングしてもスライスボールの出ないストレートなボールを打つことができるようになる。
【００１８】
本発明によれば、インパクト手前約４５度までのダウンスウィング過程でフック矯正フィンに加わる風圧によりクラブフェースが開く方向にスライス矯正フィンからシャフトに捩り力が加わるので、フックボールが出るプレイヤーがスウィングすると、インパクト時にはクラブフェースがスクエアとなる。インパクト時にスクエアとなるスウィング感覚を会得するように練習すれば、通常のゴルフクラブを用いてスウィングしてもフックボールの出ないストレートなボールを打つことができるようになる。
【００１９】
ホルダーに対してスライスを矯正するためのスウィング矯正フィンと、フックを矯正するためのフック矯正フィンとを選択的に着脱自在に装着することによって、１つのゴルフクラブでスライス矯正とフック矯正とを行うことができる。
【００２０】
ホルダーをシャフトに回転自在に装着することにより、ホルダーに設けられたスウィング矯正フィンの角度を調整することによりスライス矯正とフック矯正とを行うことができる。
【発明を実施するための最良の形態】
【００２１】
以下、本発明の実施の形態を図面に基づいて詳細に説明する。図１は本発明の一実施の形態であるゴルフクラブを示す正面図であり、図２は図１の要部を示す拡大斜視図であり、図３は図２における３−３線に沿う拡大断面図であり、図４（Ａ）は図２に符号４で示す方向の拡大正面図であり、図４（Ｂ）は図４（Ａ）における４Ｂ−４Ｂ線に沿う断面図であり、図４（Ｃ），（Ｄ）はフィンの変形例を示す断面図であり、図５はプレイヤーがゴルフクラブを持ってアドレスした状態を示す側面図である。
【００２２】
図１に示すゴルフクラブ１０はドライバーつまり１番ウッドクラブであり、シャフト１１とその先端部に設けられたヘッド１２と基端部に設けられたグリップ１３とを有している。ヘッド１２にはボールを打つ面であるクラブフェースＦが設けられており、クラブフェースＦは所定のロフト角度に設定されている。図１に示されたゴルフクラブ１０は本発明が適用された一例としてのドライバーであり、ロングアイアンやミドルアイアンなどの他のゴルフクラブにも本発明が適用される。
【００２３】
シャフト１１にはその先端部であってヘッド１２よりもグリップ１３側に位置させてホルダー１４が設けられている。このホルダー１４は、図２に示すように、円筒部１５とヘッド１２側のテーパ部１６とグリップ１３側のテーパ部１７とを有しており、ゴムやプラスチックにより形成されシャフト１１に嵌め合わされている。ホルダー１４には図３に示すように３つのフィン取付溝２１〜２３が形成されており、それぞれのフィン取付溝２１〜２３は図２に示すようにシャフト１１の中心軸に沿う方向に延びている。フィン取付溝２１はスライス溝となっており、フィン取付溝２２はフック溝となっており、フィン取付溝２３はパワー溝となっている。
【００２４】
図３はプレイヤーがゴルフクラブ１０を振り下ろしてヘッド１２のクラブフェースＦにボールＢが当たった状態つまりインパクト時を示しており、インパクト時のボールＢの飛球線をＴｂとすると、シャフト１１の中心軸Ｏの目標方向つまり飛球方向ＴはボールＢの飛球線Ｔｂと平行になる。図５には、プレイヤーがアドレスした状態のもとでゴルフクラブ１０を振り上げてボールを打ったときのスウィング軌道Ｒが二点鎖線で示されており、ボールＢの飛球線Ｔｂは、図３においてはスウィング軌道Ｒの接線として示されている。
【００２５】
図３においてクラブフェースＦのエッジに沿うとともに地面に平行となる線をエッジ線Ｅとし、このエッジ線Ｅと平行であってシャフト１１の中心軸（ホルダー１４の中心軸）Ｏに直交する線を基準線をＳとし、この基準線Ｓとホルダー１４の外周面のうちプレイヤー側の外周面との交点を基準点Ｓ0とすると、この基準点Ｓ0から飛球方向Ｔに対して反対方向にシャフト１１の中心軸Ｏ回りに４５度の角度をスライス矯正角度θ１としてその位置（Ｓ1の位置）にスライス溝２１が形成されている。一方、フック溝２２は、基準点Ｓ0から飛球方向Ｔの方向にシャフト１１の中心軸Ｏ回りに３０度の角度をフック矯正角度としてその位置（Ｓ2の位置）に形成されている。さらに、パワー溝２３は、基準点Ｓ0からホルダー１４の中心軸Ｏ回りに１８０度の角度をパワー角度としてその位置（Ｓ3の位置）に形成されている。
【００２６】
それぞれのフィン取付溝２１〜２３は底面の幅よりも開口部の幅が狭くなっており、アリ溝形状つまり楔形状となっている。それぞれのフィン取付溝２１〜２３には図４に示すフィン２４が着脱自在つまり取り外し自在に装着されるようになっている。フィン２４は図４（Ｂ）に示すように、それぞれのフィン取付溝２１〜２３に軸方向に挿入される係合部２５とこれに一体に設けられ風圧を受ける受圧部２６とを有しており、係合部２５の横断面形状はそれぞれのフィン取付溝２１〜２３の断面形状に対応したアリ溝形状となっている。
【００２７】
それぞれのフィン取付溝２１〜２３は図２に示すようにグリップ側は軸方向に開口されており、ヘッド側は閉塞されているので、フィン２４をそれぞれのフィン取付溝２１〜２３に装着する際にはグリップ側から滑り込ませてそれぞれに挿入することによってフィン２４を装着することができ、フィン２４をグリップ側に引っ張ることによりフィン２４をフィン取付溝２１〜２３から取り外すことができる。フィン２４の係合部２５がアリ溝形状となっているので、フィン取付溝２１〜２３に対するフィン２４の取付と取り外しはシャフト１１に沿ってフィン２４を滑らすことにより容易に行うことができるとともに、フィン２４はシャフト１１の径方向には外れることがなく、スウィング時にフィン２４が外れることはない。係合部２５の断面形状としては、シャフト１１の径方向に外れることなく、軸方向に滑らせて取付と取り外しができる形状であれば、図４（Ｃ），（Ｅ）に示すように、Ｔ字形状でも片面傾斜形状でも良い。
【００２８】
図６（Ａ）は図１および図２に示すホルダー１４のフィン取付溝２１つまりスライス溝にフィン２４（スウィング矯正フィン）を装着した状態を示す断面図であり、図６（Ｂ）はホルダー１４のフィン取付溝２２つまりフック溝にフィン２４（スウィング矯正フィン）を装着した状態を示す断面図であり、図６（Ｃ）はホルダー１４のフィン取付溝２３つまりパワー溝２３にフィン２４（パワーフィン）を装着した状態を示す断面図である。
【００２９】
図６（Ａ）に示すように、スライス溝２１にフィン２４を装着してスウィングの練習を行うと、スライスボールが出るプレイヤーにとってはスライス矯正のスウィング練習を行うことができる。これに対して、図６（Ｂ）に示すように、フック溝２２にフィン２４を装着してスウィング練習を行うと、フックボールが出るプレイヤーにとってはフック矯正のスウィング練習を行うことができる。さらに、図６（Ｃ）に示すようにパワー溝２３にフィン２４を装着してスウィング練習を行うと、飛距離アップの練習を行うことができる。スライス溝２１とパワー溝２３のそれぞれにフィン２４を装着してスウィング練習を行うと、スライス矯正と飛距離アップの練習を行うことができ、フック溝２２とパワー溝２３のそれぞれにフィン２４を装着してスウィング練習を行うと、フック矯正と飛距離アップの練習を行うことができる。
【００３０】
図７は図５に示したスウィング軌道Ｒを理想的な円として描いたスウィング軌道説明図である。図７にはプレイヤーがアドレスした状態からゴルフクラブ１０をトップの位置まで振り上げた後にインパクト位置まで振り下ろしてボールＢを打つダウンスウィング時において、インパクト手前約１８０度の位置とインパクトの位置との間を４つの領域に区分し、ヘッド１２がほぼトップの位置を４／４位置とし、インパクト手前約１３５度の位置を３／４位置とし、インパクト手前約９０度の位置を１／２位置とし、インパクト手前約４５度の位置を１／４位置とした。
【００３１】
図８はスライス溝２１にフィン２４つまりスウィング矯正フィンを装着して図７に示した各領域におけるスウィング矯正フィン２４の向きの変化状態をクラブフェースＦのエッジ線Ｅ向きの変化状態とともに示すスウィング軌道説明図であり、ヘッド１２が４／４位置からインパクト位置に向けて振り下ろされると、スウィング矯正フィン２４は図８（Ｄ）の状態から図８（Ａ）の状態に変化する。ただし、図８においては、クラブフェースが理想的な向きとなってスウィングされた場合を示す。
【００３２】
図８に示すように、クラブフェースに平行つまりエッジ線Ｅに平行であってシャフト１１の中心軸Ｏに直交する基準線Ｓとホルダー１４の外周面との交点を基準点Ｓ0として飛球方向Ｔに対して反対方向に４５度の位置にスウィング矯正フィン２４が設けられているので、３／４位置ではクラブフェースＦのエッジ線Ｅはヘッド移動方向Ｍと理想的には平行となり、クラブフェースＦはヘッド移動方向Ｍに対して０度となる。１／２位置ではクラブフェースＦはヘッド移動方向Ｍに対して約１５度傾斜し、１／４位置ではクラブフェースＦはヘッド移動方向Ｍに対して約４５度傾斜し、インパクト時には９０度となる。
【００３３】
１／２位置までヘッド１２が振り下ろされる過程ではヘッド１２の速度は最大速度まで高まっていないので、フィン２４に加わる大きな風圧は大きくなっておらず、フィン２４に風圧が加わってもシャフト１１を捩る力はフィン２４からシャフト１１にはあまり加わらない。これに対して、１／２位置から１／４位置の過程では、それまでよりもヘッド速度が高まるので、フィン２４に加わる風速によりシャフト１１にはクラブフェースＦを閉じる方向の回転力が加えられる。この振り下ろし過程では、ホルダー１４の中心軸つまりシャフト中心軸Ｏに直交する方向のヘッド移動方向Ｍの線よりもフィン２４がプレイヤー側となるので、フィン２４によってシャフト１１にはクラブフェースＦが閉じる方向に捩り力が加えられる。１／４位置からインパクト位置までの振り下ろし過程ではヘッド速度がさらに高まり、クラブフェースＦに加わる風力によってクラブフェースＦを開く方向に作用する力が加わるとともにゴルフクラブ１０の慣性力も大きくなり、フィン２４によりクラブフェースＦを閉じる方向の回転力が加えられても、この過程ではシャフト１１は捩られることはない。
【００３４】
このように、スライス溝２１にフィン２４を装着したゴルフクラブ１０を用いてスライスボールが出るプレイヤーがボールＢを打つと、フィン２４は図８に示す理想的な変化とならずに、図８（Ｃ），（Ｄ）に符号２４ｓで示すように、例えば１０度クラブフェースＦが開いた状態となってヘッド１２が振り下ろされることになる。しかしながら、フィン２４つまりスウィング矯正フィンがスライス溝２１に装着されたゴルフクラブ１０を用いてダウンスウィングすると、ヘッド速度が高まる１／２位置と１／４位置の間においてフィン２４に加わる風力によってクラブフェースＦが閉じる方向にシャフト１１が捩られて、１／４位置では理想に近い状態にクラブフェースＦがスクエアとなり、インパクト時にはクラブフェースＦは図８（Ａ）に示すように理想的なスクエア状態となる。
【００３５】
スライスボールが頻繁に発生する多くのプレイヤーをモニターないし被験者として実験したところ、スライスボールが発生するプレイヤーのインパクト時におけるクラブフェースＦの開き角度は様々であり、ヘッド速度も様々であるので、スライス矯正を必要とする多くのプレイヤーの平均的な開き角度から上述したように、スライス矯正角度θ１を４５度に設定したが、スライス矯正に効果があるスライス矯正角度θ１は、実験の結果、２０度から１０５度の範囲のうちいずれかの角度であり、特にスライス矯正効果が得られる範囲は４０度から５０度の範囲が好ましかった。このように、インパクト手前約９０度（１／２位置）から４５度（１／４位置）の範囲のスウィング過程でスライス矯正フィンに加わる風によりシャフトにクラブフェースＦを閉じる方向の力を加えることにより、スライス矯正を行うことができる。矯正されたスウィング感覚を身につけることにより、通常のゴルフクラブでのスウィング時におけるスライス発生を防止するスウィングを身につけることができる。
【００３６】
図９はフック溝２２にフィン２４つまりスウィング矯正フィンを装着して図７に示した各領域におけるスウィング矯正フィン２４の向きの変化状態をクラブフェースＦのエッジ線Ｅ向きの変化状態とともに示すスウィング軌道説明図であり、ヘッド１２が４／４位置からインパクト位置に向けて振り下ろされると、スウィング矯正フィン２４は図９（Ｄ）の状態から図９（Ａ）の状態に変化する。ただし、図９においては、図８の場合と同様に、クラブフェースＦが理想的な向きとなってスウィングされた場合を示す。
【００３７】
図９に示すように、クラブフェースＦに平行つまりエッジ線Ｅに平行であってシャフト１１の中心軸Ｏに直交する基準線Ｓとホルダー１４の外周面との交点を基準点Ｓ0として飛球方向Ｔに３０度の位置にスウィング矯正フィン２４が設けられているので、３／４位置からインパクトまでの各位置でのクラブフェースＦのエッジ線Ｅは図８に示した場合と同様に変化する。
【００３８】
上述したように、１／２位置までヘッド１２が振り下ろされる過程ではヘッド１２の速度は最大速度まで高まっていないので、フィン２４に加わる大きな風圧は大きくなっておらず、フィン２４に風圧が加わってもシャフト１１を捩るような回転力はフィン２４からシャフト１１には加わらない。これに対して、１／２位置から１／４位置の過程では、それまでよりもヘッド速度が高まるので、フィン２４に加わる風圧によりシャフト１１にはクラブフェースＦを開く方向の捩り力つまり回転力が加えられる。この振り下ろし過程では、ホルダー１４の中心軸つまりシャフト中心軸Ｏに直交する方向のヘッド移動方向Ｍの線よりもフィン２４がプレイヤー側の反対側となるので、フィン２４によってシャフト１１にはクラブフェースＦが閉じる方向の回転力が加えられる。１／４位置からインパクト位置までの振り下ろし過程ではヘッド速度がさらに高まるので、クラブフェースＦに加わる風圧によってクラブフェースＦを閉じる方向に作用する力が加わるとともにゴルフクラブ１０の慣性力も大きくなり、フィン２４によりクラブフェースＦを閉じる方向の回転力が加えられても、この過程ではシャフト１１は捩られることはない。
【００３９】
このように、フック溝２２にフィン２４を装着したゴルフクラブ１０を用いてフックボールが出るプレイヤーがボールＢを打つと、フィン２４は図９に示す理想的な変化とならずに、図９（Ｃ），（Ｄ）に符号２４ｈで示すように、例えば２０度程度クラブフェースＦが閉じた状態となってヘッド１２が振り下ろされることになる。しかしながら、フィン２４つまりスウィング矯正フィンがフック溝２２に装着されたゴルフクラブ１０を用いてスウィングすると、ヘッド速度が高まる１／２位置と１／４位置の間においてフィン２４に加わる風圧によってクラブフェースＦが開く方向にシャフト１１が捩り回転されて、１／４位置では理想に近い状態にクラブフェースＦがスクエアとなり、インパクト時にはクラブフェースＦは図９（Ａ）に示すように理想的なスクエア状態となる。
【００４０】
フックボールが頻繁に発生する多くのプレイヤーをモニターないし被験者として実験したところ、フックボールが発生するプレイヤーのインパクト時におけるクラブフェースＦの閉じる角度は様々であり、ヘッド速度も様々であるので、フック矯正を必要とする多くのプレイヤーの平均的な開き角度から上述したように、フック矯正角度θ２を３０度に設定したが、フック矯正に効果があるフック矯正角度θ２は、実験の結果、２０度から４０度の範囲のうちいずれかの角度とすることが好ましかった。このように、インパクト手前約９０度（１／２位置）から４５度（１／４位置）の範囲のスウィング過程でフック矯正フィンに加わる風によりシャフト１１にクラブフェースＦが開く方向に風圧力を加えることにより、フック矯正を行うことができる。このゴルフクラブ１０を用いて矯正されたスウィング感覚を身につけることにより、通常のゴルフクラブでのスウィング時におけるフック発生を防止するスウィングを身につけることができる。
【００４１】
図１０はパワー溝２３にフィン２４つまりパワーフィンを装着して図７に示した各領域におけるパワーフィン２４の向きの変化状態をクラブフェースのエッジ線Ｅの変化状態とともに示すスウィング軌道説明図であり、ヘッド１２が４／４位置からインパクト位置に向けて振り下ろされると、パワーフィン２４は図１０（Ｄ）の状態から図１０（Ａ）の状態に変化する。ただし、図１０においては、図８及び図９の場合と同様に、クラブフェースが理想的な向きとなってスウィングされた場合を示す。
【００４２】
このように１８０度の位置にパワーフィン２４を装着すると、パワーフィン２４はクラブフェースＦに平行となっているので、インパクト付近では飛球方向Ｔに対して直角つまりスクエアになり、ゴルフクラブには大きな風圧が加わるので、インパクト時の力が弱められることになる。したがって、パワーフィン２４を装着した状態でゴルフクラブ１０をスウィングすると、筋力を高められ、パワーフィン２４を外した状態でのスウィングを軽く感じることができる。
【００４３】
パワー溝２３に加えてスライス溝２１またはフック溝２２のそれぞれフィン２４を装着することにより、筋力アップを図りながら、スライス矯正またはフック矯正を行うことができる。
【００４４】
図４（Ａ）に示すように、フィン２４は先端の長さが短くなるように両端面が傾斜した台形となっているが、逆向きに傾斜した台形としても良く、さらには四辺形としても良く、フィン２４の受圧部２６の形状は図示する場合に限られない。受圧部２６の面積は１００〜２００cm程度に設定されており、プレイヤーによってはヘッドスピードが相違するので、面積が相違する複数のフィン２４を用意することが好ましい。
【００４５】
図２に示したゴルフクラブ１０は、ホルダー１４に対して３つのフィンが着脱自在となったフィン着脱式であるが、フィンを固定式としても良い。
【００４６】
図１１はスライス矯正フィン２４を図３に示すスライス矯正角度θ１と同じ角度としてホルダー１４に一体に設けた場合を示す断面図であり、図１２はフック矯正フィンを図３に示すフック矯正角度θ２と同じ角度としてホルダー１４に一体に設けた場合を示す断面図である。図１１および図１２に示す場合にも、スライス矯正角度θ１としては、上述した範囲（２０〜１０５度）に設定することができ、フック矯正角度θ２としても上述した範囲（２０〜４０度）に設定することができる。
【００４７】
図１３は本発明の他の実施の形態であるゴルフクラブ１０の要部を示す斜視図であり、図１４は図１３の断面図である。この場合には、ホルダー１４には一体にフィン２４つまりスウィング矯正フィンが設けられており、ホルダー１４はシャフト１１に回転自在に装着されている。シャフト１１のヘッド側には環状のストッパ３１が固定され、シャフト１１のグリップ側には環状の締結具３２がシャフト１１に沿って軸方向に摺動自在に装着されている。ストッパ３１にはホルダー１４のテーパ部１６が嵌合する傾斜面３１ａが形成され、締結具３２にはホルダー１４のテーパ部１７が嵌合する傾斜面３２ａが形成されており、締結具３２を図１４において二点鎖線で示すようにグリップ側に移動させるとホルダー１４の内周面とシャフト１１の外周面との密着が解除されホルダー１４を回転させることができる。これにより、スウィング矯正フィン２４をスライス矯正角度θ１とフック矯正角度θ２のいずれにも設定することができる。
【００４８】
スウィング矯正フィン２４を所定の角度に設定した状態でホルダー１４をシャフト１１に対して固定する際には締結具３２をヘッド１２に向けて移動させる。これにより、ホルダー１４のテーパ部１６はストッパ３１により径方向内方に向けて弾性変形し、テーパ部１７は締結具３２により径方向内方に向けて弾性変形し、ホルダー１４の内周面はシャフト１１の外周面に密着してホルダー１４はシャフト１１に密着固定された状態となる。ホルダー１４が径方向に容易に弾性変形するように、ホルダー１４には軸方向に沿って複数のスリット３３が設けられている。ストッパ３１の外周面にはスウィング矯正フィン２４の基準位置に対する角度を表示するために、図１３に示すように角度表示部３４が標記されており、スウィング矯正フィン２４の角度調整を行う場合には、角度表示部３４の数値を見ながら角度調整を行うことになる。
【００４９】
図１３および図１４に示す場合には、ストッパ３１と締結具３２とにより固定手段が構成されているが、ストッパ３１と締結具３２の位置関係を上下反転させるように配置しても良く、締結具３２をシャフト１１にねじ止めするようにしても良い。
【００５０】
本発明は前記実施の形態に限定されるものではなく、その要旨を逸脱しない範囲で種々変更可能である。たとえば、ホルダー１４の外周面形状としては、図示する円形に限られず、多角形や四角形としても良い。
【図面の簡単な説明】
【００５１】
【図１】本発明の一実施の形態であるゴルフクラブを示す正面図である。
【図２】図１の要部を示す拡大斜視図である。
【図３】図２における３−３線に沿う拡大断面図である。
【図４】（Ａ）は図２に符号４で示す方向の拡大正面図であり、（Ｂ）は（Ａ）における４Ｂ−４Ｂ線に沿う断面図であり、（Ｃ），（Ｄ）はフィンの変形例を示す断面図である。
【図５】プレイヤーがゴルフクラブを持ってアドレスした状態を示す側面図である。
【図６】（Ａ）は図１および図２に示すホルダーのフィン取付溝（スライス溝）にフィン（スウィング矯正フィン）を装着した状態を示す断面図であり、（Ｂ）はホルダーのフィン取付溝（フック溝）にフィン（スウィング矯正フィン）を装着した状態を示す断面図であり、（Ｃ）はホルダーのパワー溝にフィン（パワーフィン）を装着した状態を示す断面図である。
【図７】図５に示したスウィング軌道を理想的な円として描いたスウィング軌道説明図である。
【図８】スライス溝にスウィング矯正フィンを装着してスウィングした場合の図７に示した各領域におけるスウィング矯正フィンの向きの変化状態を示すスウィング軌道説明図である。
【図９】フック溝にスウィング矯正フィンを装着してスウィングした場合の図７に示した各領域におけるスウィング矯正フィンの向きの変化状態を示すスウィング軌道説明図である。
【図１０】パワー溝にパワーフィンを装着してスウィングした場合の図７に示した各領域におけるパワーフィンの向きの変化状態を示すスウィング軌道説明図である。
【図１１】スライス矯正フィンを図３に示すスライス矯正角度と同じ角度としてホルダーに一体に設けられたゴルフクラブの要部を示す断面図である。
【図１２】フック矯正フィンを図３に示すフック矯正角度と同じ角度としてホルダーに一体に設けられたゴルフクラブの要部を示す断面図である。
【図１３】本発明の他の実施の形態であるゴルフクラブの要部を示す斜視図である。
【図１４】図１３の断面図である。
【符号の説明】
【００５２】
１０      ゴルフクラブ
１１      シャフト
１２      ヘッド
１３      グリップ
１４      ホルダー
２４      フィン（スライス矯正フィン、フック矯正フィン、スウィング矯正フィン）
２５      係合部
２６      受圧部
【図１】
2006223395.tif 000003
【図２】
2006223395.tif 000004
【図３】
2006223395.tif 000005
【図４】
2006223395.tif 000006
【図５】
2006223395.tif 000007
【図６】
2006223395.tif 000008
【図７】
2006223395.tif 000009
【図８】
2006223395.tif 000010
【図９】
2006223395.tif 000011
【図１０】
2006223395.tif 000012
【図１１】
2006223395.tif 000013
【図１２】
2006223395.tif 000014
【図１３】
2006223395.tif 000015
【図１４】
2006223395.tif 000016